(57)【要約】【課題】残存歯に負担をかけることもなく、審美性に優れるとともに、装着の作業が煩雑でもなく、安定的に装着可能であり、長期間使用することが可能な有床義歯を提供する。【解決手段】義歯床２２０に人工歯３０が設けられて形成され義歯床２２０が使用者の歯槽堤５０に対して取り付けられることによって装着される有床義歯２１０であって、義歯床２２０のうち、歯槽堤５０の天然歯残存部５０Ａに対応する部分は、弾性を有する合成樹脂を主体として形成され、残存歯６０に対応して切欠部２２３が形成されるとともに、切欠部２２３の端部は残存歯６０の歯茎部６４に密着するものであり、歯槽堤５０のうち天然歯非残存部に対応する部分の外側延部２２ａ及び内側延部２２ｂは、可塑化温度が５０〜８０℃にある熱可塑性樹脂を主体として形成されている。【選択図】図５Ａ
2008168065.tif 000002
【特許請求の範囲】
【請求項１】
義歯床に人工歯が設けられて形成され、当該義歯床が使用者の歯槽堤に対して取り付けられることによって装着される有床義歯であって、
前記義歯床の少なくとも前記歯槽堤の外側面に対応する外側延部及び／又は前記歯槽堤の内側面に対応する内側延部は、可塑化温度が５０〜８０℃にある熱可塑性樹脂を主体として形成されている、
有床義歯。
【請求項２】
義歯床に人工歯が設けられて形成され、当該義歯床が使用者の歯槽堤に対して取り付けられることによって装着される有床義歯であって、
前記義歯床のうち、
前記歯槽堤のうち天然歯が残存している天然歯残存部に対応する部分は、弾性を有する合成樹脂を主体として形成され、当該天然歯に対応して切欠部又は開口部が形成されるとともに、その切欠部又は開口部の端部は当該天然歯の歯茎部に密着又は近接するものであり、
前記歯槽堤のうち天然歯が残存していない天然歯非残存部に対応する部分の少なくとも前記歯槽堤の外側面に対応する外側延部及び／又は前記歯槽堤の内側面に対応する内側延部は、可塑化温度が５０〜８０℃にある熱可塑性樹脂を主体として形成されている、
有床義歯。
【請求項３】
請求項２に記載の有床義歯であって、
前記義歯床のうち、天然歯残存部に対応する部分には、前記歯槽堤の窪み部に対応して、凹み部が形成されている、
有床義歯。
【請求項４】
請求項１〜請求項３のいずれかに記載の有床義歯であって、
前記義歯床のうち前記歯槽堤に対して接触する部分の少なくとも一部にはシリコーン層が形成されている、
有床義歯。
【請求項５】
請求項１〜請求項４のいずれかに記載の有床義歯であって、
前記人工歯に形成された凹部に対して前記義歯床に形成された凸部が嵌合するとともに、前記人工歯が前記義歯床に対して溶着されることによって、前記人工歯が前記義歯床に対して設けられている、
有床義歯。
【請求項６】
請求項１〜請求項５のいずれかに記載の有床義歯であって、
前記義歯床と前記人工歯との境界部分及びその近傍に対して光重合レジンが付着されている、
有床義歯。
【発明の詳細な説明】
【技術分野】
【０００１】
本発明は、有床義歯に関するものである。
【背景技術】
【０００２】
人間の口腔内には、全体としてほぼＵ字状の上下一対の歯槽堤があり、本来、各歯槽堤には多数の歯が存在する（その歯のことを天然歯という）。
歯槽堤から天然歯が欠落した場合に、義歯が使用される場合がある。義歯の１つとして、有床義歯（すなわち、入れ歯）がある。
【０００３】
有床義歯は、義歯床に人工歯が設けられて形成されている。義歯床は、ほぼ逆Ｕ字状断面（下顎に対応するもの）又はＵ字状断面（上顎に対応するもの）を有しており、その断面において、基部，外側延部，内側延部を有している。
そして、有床義歯は、義歯床が人体の口腔内の歯槽堤に対して嵌合するようにして装着される。その観点から、義歯床（そのうちの歯槽堤の側の面）は、歯槽堤の形状に沿った形状を有するように製造される。
有床義歯には、局部床義歯（いわゆる部分入れ歯）及び全部床義歯（いわゆる総入れ歯）がある。
【０００４】
ところで、例えば人間の下顎の歯槽堤においては、一般的に、その外側面は、ほぼ鉛直又は下方に向けて徐々に外側に向かう。同じく内側面は、ほぼ鉛直又は下方に向かうにつれて徐々に内側に向かう。上顎の歯槽堤においても同様である。
しかしながら、例えば、下顎の歯槽堤のうちの長さ方向における一部には、その外側面／内側面のうちの下側の部分が下方に向かうにつれて徐々に内側／外側に向かうという断面もある。上顎の歯槽堤においても同様である。このように、歯槽堤のうちの一部は窪んでいる。その部分のことを窪み部ということとする。
逆にいえば、歯槽堤のうち窪み部よりも頂部の側（下顎の歯槽堤の場合は上側であり、上顎の歯槽堤の場合は下側である）の部分には、窪み部よりも張り出した部分があるといえる。その部分のことを歯槽堤の張り出し部（歯槽堤張り出し部）ということとする。
なお、歯槽堤の張り出し部には、歯槽堤の長さ方向に沿って、弾性的に十分窪み可能な部位と、弾性的に窪み不可能（正確には十分な窪みが不可能）な部位とがある。
【０００５】
また、天然歯のうち歯槽堤と近接する部分（露出している部分のうちの根元部分）は歯茎部といわれており、歯茎部は窪んでいる。すなわち、下顎の天然歯の歯茎部のうち外側面／内側面は、上方から下方に向かうにつれて徐々に内側／外側に向かう。上顎の天然歯においても同様である。
逆にいえば、天然歯のうち歯茎部よりも頭頂部の側（下顎の天然歯の場合は上側であり、上顎の天然歯の場合は下側である）の部分には、歯茎部よりも張り出した部分があるといえる。その部分のことを天然歯の張り出し部（天然歯張り出し部）ということとする。
【０００６】
従来の有床義歯は、次のとおりである。
従来の有床義歯（局部床義歯，全部床義歯とも）の義歯床は、高温でも塑性変形不可能な合成樹脂等によって形成されている。
【０００７】
従来の局部床義歯の場合は、一般的に、針金状のクラスプが伴っている。クラスプは、義歯床が歯槽堤に対して嵌合された状態で残存歯（残存している天然歯）に係合するものである。
また、局部床義歯の場合、義歯床の外側延部及び内側延部は、その断面において、窪み部にまでは到らない程度の高さ（長さ）しか有していない。クラスプがあるため、それで足りるからである。
こうして、局部床義歯の場合は、歯槽堤に対して義歯床が嵌合する（前述）とともに、残存歯に対してクラスプが係合することによって、口腔内に装着される。
【０００８】
全部床義歯の場合は、クラスプが伴うことができないため、次のようにされている。
義歯床の外側延部／内側延部は、歯槽堤の窪み部（正確には、その一部）にまで対応するように高く（長く）形成されている。義歯床の外側延部／内側延部のうち、歯槽堤の窪み部に対応する部分は、その窪み部に沿って凹んでいる。
そして、その義歯床は塑性変形不可能な合成樹脂によって形成されている（このことは前述）ために、装着の際には、歯槽堤のうちの窪み部よりも頂部の側の張り出し部（そのうち、弾性的に十分窪み可能な部位）を弾性的に窪ませつつ、その義歯床は歯槽堤に対して嵌合される。
【０００９】
しかしながら、上述の局部床義歯の場合は、クラスプが残存歯に係合して装着されるため、長期間の使用によって、その残存歯に大きな負担がかかる。また、クラスプによって、審美性が損なわれることとなる。
また、上述の全部床義歯の場合は、歯槽堤のうちの張り出し部を弾性的に窪ませつつ装着する必要があり、その装着の作業は非常に煩雑である。また、それも、張り出し部が弾性的に十分窪み可能な部位にしか対応することができず、安定的に装着させることが困難である。
【００１０】
また、使用者の歯槽堤の形状は、年月の経過とともに徐々に変化していく。
このため、従来の有床義歯の場合は、製造当初においては義歯床（その内面）の形状は歯槽堤の形状に沿っていたとしても、徐々に両者の形状のずれが大きくなる。こうして、使用者が感じる違和感は徐々に大きくなり、最終的には使用不可能となる。
そして、そのたびごとに、別の有床義歯を製造する（すなわち、入れ歯を作り替える）必要が生ずる。このように、従来の有床義歯では、長期間の使用をすることは不可能であった。
【００１１】
特許文献１には、上述の欠点を解決しようとして、義歯床のうち内面等が柔軟な樹脂によって形成されている有床義歯が開示されている。
しかしながら、本発明者の研究により、それだけの改良では、上述の欠点は十分には解決されないことが判明した。
【特許文献１】特開２００５−１７７１７２公報
【発明の開示】
【発明が解決しようとする課題】
【００１２】
本発明は、残存歯に負担をかけることもなく、審美性にも優れ、装着の作業が煩雑でもなく、安定的に装着可能であり、長期間使用することが可能な有床義歯を提供することを課題とする。
【課題を解決するための手段】
【００１３】
上記の課題を解決するために、請求項１に係る発明は、義歯床に人工歯が設けられて形成され、当該義歯床が使用者の歯槽堤に対して取り付けられることによって装着される有床義歯であって、前記義歯床の少なくとも前記歯槽堤の外側面に対応する外側延部及び／又は前記歯槽堤の内側面に対応する内側延部は、可塑化温度が５０〜８０℃にある熱可塑性樹脂を主体として形成されている、有床義歯である。
【００１４】
「可塑化温度が５０〜８０℃にある熱可塑性樹脂を主体として形成されている」には、そのような熱可塑性樹脂のみから形成される場合と、そのような熱可塑性樹脂の部材に対して別の部材が取り付けられており、全体として、可塑化温度が５０〜８０℃にある熱可塑性を有している場合がある。「別の部材」として、柔軟性を有する材質からなる層（シリコーン層等）等がある。これらのことは他の請求項においても同様である。
【００１５】
この有床義歯を歯槽堤に対して装着しようとする際には、次のようにされる。
この有床義歯は、予め義歯床（外側延部及び／又は内側延部）が熱湯等で可塑化温度（５０〜８０℃のうちのいずれかの温度）以上とされ塑性変形可能とされた状態で歯槽堤に対して嵌合され、歯槽堤（窪み部を有する）に密着するように使用者等によって塑性変形される。
その後に、その義歯床（外側延部及び／又は内側延部）が口腔内の温度（体温）によって冷却されて可塑化温度以下となることによって塑性変形不可能な状態となり、歯槽堤に密着した形状、すなわち、歯槽堤の窪み部に対応した凹み部を有する形状に維持されることとなる。
こうして、歯槽堤の張り出し部（窪み部よりも頂部の側の張り出した部分）によって、義歯床（その凹み部）が義歯床が歯槽堤から抜け出ることが阻止される。
このようにして、この有床義歯では、残存歯に負担をかけることもなく、審美性にも優れるとともに、容易に、安定的に装着することができる。
【００１６】
一方、この有床義歯を歯槽堤から取り外そうとする際には、次のようにされる。
使用者の口腔内を高温（可塑化温度より十分に高温）の液体等で所定時間以上満たして、義歯床（外側延部及び／又は内側延部）を加熱して可塑化温度以上とさせ、塑性変形可能な状態とさせる。
その状態で、使用者等によって、この有床義歯に対して、歯槽堤から抜け出る方向に力が加えられる。
これによって、義歯床（外側延部及び／又は内側延部）が歯槽堤から抜け出ることが可能な形状に塑性変形しつつ、義歯床が歯槽堤から抜け出る。
このようにして、この有床義歯では、歯槽堤から容易に取り外すこともできる。
【００１７】
また、この有床義歯では、年月の経過によって歯槽堤の形状が変化しても、その変化した歯槽堤の形状に義歯床を塑性変形させることによって、長期間にわたって使用することが可能である。
【００１８】
なお、この発明を限定した発明として、可塑化温度の範囲の下限が６０℃，７０℃等とされたものがある。
【００１９】
請求項２に係る発明は、義歯床に人工歯が設けられて形成され、当該義歯床が使用者の歯槽堤に対して取り付けられることによって装着される有床義歯であって、前記義歯床のうち、前記歯槽堤のうち天然歯が残存している天然歯残存部に対応する部分は、弾性を有する合成樹脂を主体として形成され、当該天然歯に対応して切欠部又は開口部が形成されるとともに、その切欠部又は開口部の端部は当該天然歯の歯茎部に密着又は近接するものであり、前記歯槽堤のうち天然歯が残存していない天然歯非残存部に対応する部分の少なくとも前記歯槽堤の外側面に対応する外側延部及び／又は前記歯槽堤の内側面に対応する内側延部は、可塑化温度が５０〜８０℃にある熱可塑性樹脂を主体として形成されている、有床義歯である。
【００２０】
「弾性を有する合成樹脂を主体として形成され」には、弾性を有する合成樹脂のみから形成される場合と、弾性を有する合成樹脂の部材に対して別の部材が取り付けられており、全体として、弾性を有する場合がある。「別の部材」として、柔軟性を有する材質からなる層（シリコーン層等）等がある。
【００２１】
この発明の有床義歯では、天然歯非残存部に対応する部分では、請求項１に係る発明と同様の作用効果が得られるとともに、天然歯残存部に対応する部分では、次の作用効果が得られる。
【００２２】
この有床義歯を歯槽堤に対して装着しようとする際には、次のようにされる。
使用者等によってこの有床義歯が歯槽堤に対して接近し嵌合する方向に移動するようにされることによって、義歯床（その切欠部又は開口部）が天然歯の張り出し部に対応するように弾性変形する。そして、引き続き同方向にこの有床義歯が移動するようにされることによって、義歯床が歯槽堤に嵌合する。
その嵌合が完了した状態では、義歯床（その切欠部又は開口部）が弾性的に元の形状に復元しており、その切欠部又は開口部の端部が天然歯の歯茎部に密着又は近接している。このため、天然歯の張り出し部（歯茎部よりも頭頂部の側の張り出した部分）によって義歯床（その切欠部又は開口部）が抜け出ることが防止される。
このようにして、この有床義歯では、残存歯に対してクラスプのような負担をかけることもなく、審美性にも優れるとともに、容易に、安定的に装着することができる。
【００２３】
一方、この有床義歯を歯槽堤から取り外そうとする際には、次のようにされる。
使用者等によってこの有床義歯が歯槽堤から離隔する方向に所定以上の力が加えられることによって、義歯床（その切欠部又は開口部）が天然歯の張り出し部に対応するように弾性変形する。そして、引き続き同方向にこの有床義歯が移動するようにされることによって、義歯床が歯槽堤から抜け出る。
このようにして、この有床義歯では、歯槽堤から容易に取り外すこともできる。
【００２４】
請求項３に係る発明は、請求項２に係る発明の有床義歯であって、前記義歯床のうち、天然歯残存部に対応する部分には、前記歯槽堤の窪み部に対応して、凹み部が形成されている、有床義歯である。
【００２５】
この発明の有床義歯では、請求項２に係る発明の作用効果に加えて、天然歯残存部に対応する部分において、次の作用効果が得られる。
【００２６】
この有床義歯を歯槽堤に対して装着しようとする際には、使用者等によってこの有床義歯が歯槽堤に対して嵌合する方向に移動するようにされることによって、義歯床（その凹み部）が歯槽堤の張り出し部に対応するように弾性変形する。そして、引き続き同方向にこの有床義歯が移動するようにされることによって、義歯床が歯槽堤に嵌合する。
その嵌合が完了した状態では、義歯床（その凹み部）が弾性的に元の形状に復元しており、その凹み部が歯槽堤の窪み部に対応する。このため、歯槽堤の張り出し部（窪み部よりも頂部の側の張り出した部分）によっても、義歯床（その凹み部）が抜け出ることが防止される。
このようにして、この有床義歯では、請求項２に係る発明の有床義歯と同様に、容易に装着することができるとともに、請求項２に係る発明の有床義歯による効果に加えて、義歯床の凹み部によって、さらに安定的に装着することができる。
【００２７】
一方、この有床義歯を歯槽堤から取り外そうとする際には、使用者等によってこの有床義歯が歯槽堤から義歯床が離隔する方向に所定以上の力が加えることによって、義歯床（その凹み部）が歯槽堤の張り出し部に対応するように弾性変形する。そして、引き続き同方向にこの有床義歯が移動するようにされることによって、義歯床が歯槽堤から抜け出る。
このようにして、この有床義歯では、請求項２に係る発明の有床義歯と同様に、歯槽堤から容易に取り外すこともできる。
【００２８】
請求項４に係る発明は、請求項１〜請求項３のいずれかに係る発明の有床義歯であって、前記義歯床のうち前記歯槽堤に対して接触する部分の少なくとも一部にはシリコーン層が形成されている、有床義歯である。
【００２９】
この発明の有床義歯では、請求項１〜請求項３のいずれかに係る発明の作用効果に加えて、次の作用効果が得られる。
この発明の有床義歯では、シリコーン層が歯槽堤（少なくともその一部）に対して接触する。シリコーン層は柔軟性を有するために、歯槽堤に対する負担が軽減される。
【００３０】
請求項５に係る発明は、請求項１〜請求項４のいずれかに係る発明の有床義歯であって、前記人工歯に形成された凹部に対して前記義歯床に形成された凸部が嵌合するとともに、前記人工歯が前記義歯床に対して溶着されることによって、前記人工歯が前記義歯床に対して設けられている、有床義歯である。
【００３１】
この発明の有床義歯では、請求項１〜請求項４のいずれかに係る発明の作用効果に加えて、次の作用効果が得られる。
すなわち、人工歯が、義歯床に対して、その人工歯の凹部に対するその義歯床の凸部の嵌合とともに、溶着によって設けられるために、人工歯が義歯床に安定的に支持される。
【００３２】
請求項６に係る発明は、請求項１〜請求項５のいずれかに係る発明の有床義歯であって、前記義歯床と前記人工歯との境界部分及びその近傍に対して光重合レジンが付着されている、有床義歯である。
【００３３】
この発明の有床義歯では、請求項１〜請求項５のいずれかに係る発明の作用効果に加えて、次の作用効果が得られる。
すなわち、義歯床と人工歯との境界部分及びその近傍には本来的に食物の残り等が付着しやすいのであるが、光重合レジンによって、そのようなことが防止される。
【発明を実施するための最良の形態】
【００３４】
［実施形態１］
次に、本発明の実施形態１について、図１Ａ〜図３に基づいて説明する。
一例として、下顎の歯槽堤５０（図１Ａ）に対して取り付けられる有床義歯（局部床義歯）について説明する。上顎の歯槽堤に取り付けられる有床義歯は、それと上下対称な構造とされる。
【００３５】
図１Ａに示すように、歯槽堤５０は、全体としてほぼＵ字状の形状を有している。
それとともに、図２Ａに示すように、下顎の歯槽堤５０はほぼ逆Ｕ字状の表面を有する断面を有しており、その断面において、頂部５１，外側面５２ａ，内側面５２ｂを有している。
一般的に、下顎の歯槽堤５０の外側面５２ａ／内側面５２ｂは、ほぼ鉛直又は下方に向けて徐々に外側／内側に向かう。しかしながら、下顎の歯槽堤５０の長さ方向（図１Ａ参照）における一部には、その外側面５２ａ／内側面５２ｂのうちの下側の部分が下方に向かうにつれて徐々に内側／外側に向かうという断面もある。上顎の歯槽堤５０においても同様である。このように、歯槽堤５０のうちの一部には窪み部５４（図２Ａ）が存在する。
図２Ａには、歯槽堤５０の外側面５２ａに窪み部５４が存在する断面が示されている。  逆にいうと、窪み部５４より上方（頂部５１の側の部分）には、窪み部５４よりも張り出した部分がある。その部分のことを歯槽堤張り出し部５６ということとする。
【００３６】
図１Ａ及び図２Ａに示すように、この有床義歯１０は、義歯床２０及び人工歯３０を有している。
義歯床２０（その内側の形状）は、使用者の歯槽堤５０の形状にほぼ対応している。すなわち、図１Ａに示すように、全体としてほぼＵ字状をなすとともに、図２Ａに示すように、ほぼ逆Ｕ字状断面を有しており、その断面において、基部２１，外側延部２２ａ，内側延部２２ｂを有している。
【００３７】
義歯床２０の大半の部分は、熱可塑性樹脂によって形成されている。その部分のことを義歯床本体２５ということとする。
義歯床本体２５は、可塑化温度が７０℃〜８０℃のいずれかの温度である熱可塑性樹脂によって形成されている。すなわち、その温度未満では塑性変形不可能であり、その温度以上では塑性変形可能である。
義歯床本体２５の内部には、芯材２６が配設されている。芯材２６も、可塑化温度が７０℃〜８０℃のいずれかの温度である熱可塑性樹脂によって形成されている。
義歯床本体２５のうちの内面（歯槽堤５０の側の面）には、シリコーンが貼着されて、シリコーン層２７が設けられている。
【００３８】
義歯床２０の基部２１は、歯槽堤５０の頂部５１に対応している。各人工歯３０は、基部２１に設けられている。
図１Ａに示すように、基部２１の一部には、開口部２３が形成されている。開口部２３は、残存歯６０（残存している天然歯）に対応して形成されている。
【００３９】
図２Ａに示すように、義歯床２０の外側延部２２ａ及び内側延部２２ｂは、歯槽堤５０の基端部（下端部）の近傍にまで及ぶ高さ（長さ）を有している。
義歯床２０の外側延部２２ａは、全般的に、歯槽堤５０の外側面５２ａに対応している。義歯床２０の内側延部２２ｂは、全般的に、歯槽堤５０の内側面５２ｂに対応している。
しかしながら、義歯床２０の外側延部２２ａ／内側延部２２ｂ（図２Ａにおいては外側延部２２ａ）のうち、歯槽堤５０の窪み部５４に対応する部分は、窪み部５４に沿って内側／外側（図２Ａにおいては内側）に窪むことなく、ほぼ鉛直となっている。
【００４０】
人工歯３０は、合成樹脂等によって形成されている。
人工歯３０のうち下側の部分（義歯床２０の側の部分）には、凹部３８が形成されている。凹部３８の開口部（符号省略）の大きさは、凹部３８のうちの内部の中途高さ部分の横断面の大きさよりも小さく形成されている。
一方、義歯床２０（義歯床本体２５）の基部２１には、凹部３８に対応して凸部２８が形成されている。凸部２８のうちの基端部の横断面の大きさは、凸部２８の中途高さ部分の横断面の大きさよりも小さく形成されている。そして、凸部２８が凹部３８に嵌合している。こうして、各人工歯３０は、義歯床２０に対して抜け止めされた状態で取り付けられている。
また、各人工歯３０は、義歯床２０に対して溶着によって固定されている。
【００４１】
義歯床２０に対する各人工歯３０の取り付け方法は、次のとおりである。
図３に示すように、予め製造された人工歯３０と、義歯床２０が用意される。
義歯床２０の義歯床本体２５は、未重合の状態である。人工歯３０の底面は、バーナ等によって溶融状態とされる（その部分のことを溶融部３９ということとする）。
そして、義歯床２０が人工歯３０に対して押圧されることによって、義歯床２０の凸部２８が弾性変形しつつ人工歯３０の凹部３８に対して圧入され、凸部２８が凹部３８に嵌合する。
それとともに、人工歯３０の底部（溶融部３９）が義歯床２０の基部２１に対して圧接する。そして、それが冷却固化することによって、人工歯３０の底部が義歯床２０の基部２１に対して溶着する。
その後、義歯床２０が加圧及び加熱されることによって、義歯床２０の義歯床本体２５が重合状態とされる。
こうして、図２Ａに示すように、各人工歯３０は、凹部３８に対する凸部２８の嵌合と溶着によって、義歯床２０に対して安定的に確実に取り付けられる。
【００４２】
このことは、後述の実施形態２の有床義歯１１０及び実施形態３の有床義歯２１０においても同様である。
すなわち、図３において、義歯床２０が義歯床１２０（実施形態２）や義歯床２２０（実施形態３）に置き換えられることによって、有床義歯１１０（実施形態２）や有床義歯２１０（実施形態３）の製造方法が示されることとなる。
なお、実施形態３においては、義歯床２２０における凸部２８は熱可塑性樹脂部２２５によって形成されており、熱可塑性樹脂部２２５が未重合の状態で義歯床２２０（熱可塑性樹脂部２２５）の凸部２８が凹部３８に嵌合され、その後に、義歯床２２０が加圧及び加熱されることによって、義歯床２２０の熱可塑性樹脂部２２５が重合状態とされる。
【００４３】
上述のように各人工歯３０が義歯床２０に対して取り付けられた後に、義歯床２０と人工歯３０との境界部分及びその近傍に対して、光重合レジン液が塗布され、その後、それが固化する。このようにして、その部分に、光重合レジン１５が付着されている。
このことも、後述の実施形態２の有床義歯１１０及び実施形態３の有床義歯２１０においても同様である。
【００４４】
次に、この有床義歯１０の使用方法及び作用効果について説明する。
この有床義歯１０を装着しようとする際は、次のようにされる。
まず、使用者は、この有床義歯１０（図２Ａ）を熱湯等に浸し、有床義歯１０（義歯床２０）を可塑化温度（７０〜８０℃）以上とし、義歯床２０（外側延部２２ａ，内側延部２２ｂ）が塑性変形可能な状態とさせる。
【００４５】
次に、図２Ａ→図２Ｂに示すように、使用者は、この有床義歯１０を把持して自分の口腔内の歯槽堤５０に対して嵌合させる。その際、残存歯６０は、開口部２３を通して露出する（図１Ｂ参照）。
図２Ｂに示すように、上述の作業によって、有床義歯１０（義歯床２０）は、歯槽堤５０に対してほぼ隙間ない状態で取り付けられる。
しかしながら、歯槽堤５０（外側面５２ａ，内側面５２ｂ）の窪み部５４と義歯床２０（外側延部２２ａ，内側延部２２ｂ）との間には隙間が存在している。図２Ｂでは、歯槽堤５０の外側面５２ａに窪み部５４が存在し（このことは前述）、その窪み部５４と義歯床２０の外側延部２２ａとの間に隙間が存在する断面が示されている。
【００４６】
次に、図２Ｂ→図２Ｃに示すように、使用者は、義歯床２０（外側延部２２ａ，内側延部２２ｂ）のうち歯槽堤５０の各窪み部５４に対応する部分を窪み部５４に向けて押圧する。
これによって、図２Ｃに示すように、義歯床２０（外側延部２２ａ，内側延部２２ｂ）のうち歯槽堤５０の各窪み部５４に対応する部分が窪み部５４に沿うように塑性変形し（その部分のことを凹み部２４ということとする）、当該部分を含む義歯床２０のすべての部分が歯槽堤５０（頂部５１，外側面５２ａ，内側面５２ｂ）と密着する。
【００４７】
その後、時間の経過とともに、徐々に有床義歯１０（義歯床２０）が冷却していき、口腔内の温度（体温）と同一（可塑化温度未満）となる。
それによって、義歯床２０は塑性変形が不可能な状態となる。すなわち、上述のように、義歯床２０（基部２１，外側延部２２ａ，内側延部２２ｂ）の形状は、歯槽堤５０（頂部５１，外側面５２ａ，内側面５２ｂ）と密着する形状で固定される。
このため、仮に、有床義歯１０に対して歯槽堤５０から抜け出る方向に力が加わった場合においても、義歯床２０の凹み部２４と歯槽堤張り出し部５６（正確にいえば、そのうち弾性的に十分窪むことが不可能な部分）とが干渉し、有床義歯１０（義歯床２０）が歯槽堤５０から抜け出ることが阻止される。
このようにして、使用者は、この有床義歯１０を歯槽堤５０に対して容易に安定的に装着することができるのである。
【００４８】
一方、この有床義歯１０を取り外そうとする際は、次のようにされる。
使用者は、所定の時間以上、高温（可塑化温度より十分に高温）の湯を口腔内に含む。これによって、有床義歯１０（義歯床２０）が加熱されて高温（可塑化温度以上）となり、義歯床２０（外側延部２２ａ，内側延部２２ｂ）が塑性変形可能な状態となる。
【００４９】
その状態で、この有床義歯１０を把持して、歯槽堤５０から離隔する方向（上方）に力を加える。これによって、義歯床２０の凹み部２４が、歯槽堤張り出し部５６と干渉しないように、外側（外側延部２２ａの場合）／内側（内側延部２２ｂの場合）に塑性変形する。図２Ｃにおいては、外側延部２２ａの凹み部２４が、外側に塑性変形する。
こうして、使用者は、この有床義歯１０を歯槽堤５０から容易に取り外すことができる。
【００５０】
以上のように、この有床義歯１０では、容易に歯槽堤５０に対して安定的に装着することができるとともに、容易に歯槽堤５０から取り外すことができる。また、クラスプを伴わないために、装着した際に、残存歯６０に負担をかけることもないとともに、審美性にも優れる。
また、使用者の歯槽堤５０の形状が年月の経過とともに徐々に変化していった場合においても、この有床義歯１０では、形状が変化した後の歯槽堤５０に対して密着するように義歯床２０を塑性変形させることが可能であり、そのようにして取り付けることによって、長期間にわたって使用することが可能である。
【００５１】
また、この有床義歯１０では、義歯床２０（義歯床本体２５）の内面（歯槽堤５０の側の面）にシリコーン層２７（柔軟性を有する）が設けられているために、使用者の歯槽堤５０に対する負担が軽減される。
【００５２】
また、この有床義歯１０では、人工歯３０が義歯床２０に対して、凹部３８に対する凸部２８の抜け止め嵌合とともに、溶着によって取り付けられているため、人工歯３０が義歯床２０に安定的に支持される。
【００５３】
また、この有床義歯１０では、義歯床２０と人工歯３０との境界部分及びその近傍に対して、光重合レジン１５が付着されているため、次の効果が得られる。
すなわち、特にその部分には食物の残り等が付着しやすいのであるが、光重合レジン１５によって、そのようなことが防止される。
【００５４】
［実施形態２］
次に、本発明の実施形態２について、図４に基づいて説明する。実施形態２は実施形態１の変形例であり、実施形態１との相違点を中心に説明する。実施形態１と共通する要素については、同一の符号を付して、その説明を省略する。
【００５５】
この有床義歯１１０では、義歯床１２０において、実施形態１と若干相違する。
この有床義歯１１０の義歯床１２０は、義歯床本体２５，芯材２６，シリコーン層２７の３層構造となっている。すなわち、芯材２６とシリコーン層２７との間に義歯床本体２５は存在しない。
そして、この有床義歯１１０でも、実施形態１の有床義歯１０と同様に使用され、同様の作用効果が得られる。
【００５６】
［実施形態３］
次に、本発明の実施形態３について、図５Ａ〜図８Ｃに基づいて説明する。実施形態３も実施形態１の変形例であり、実施形態１との相違点を中心に説明する。実施形態１と共通する要素については、同一の符号を付して、その説明を省略する。
【００５７】
実施形態３においても、一例として、下顎の歯槽堤５０（図５Ａ）に対して取り付けられる有床義歯（局部床義歯）について説明する。上顎の歯槽堤に取り付けられる有床義歯は、それと上下対称な構造とされる。
【００５８】
図５Ａに示すように、歯槽堤５０は、全体としてほぼＵ字状の形状を有している。
図５Ａ及び図７Ａ等に示すように、歯槽堤５０には、残存歯６０（残存している天然歯）がある。
図７Ａに示すように、残存歯６０のうち歯槽堤５０と近接する部分（露出している部分のうちの根元部分）は歯茎部６４といわれており、歯茎部６４は窪んでいる。すなわち、下顎の残存歯６０の歯茎部６４のうち外側面／内側面は、上方から下方に向かうにつれて徐々に内側／外側に向かっている。
逆にいうと、残存歯６０のうち歯茎部６４よりも頭頂部（符号省略）の側の部分には、歯茎部６４よりも張り出した部分がある。その部分のことを残存歯張り出し部６６（天然歯張り出し部）ということとする。
【００５９】
図５Ａに戻り、歯槽堤５０のうち天然歯（残存歯６０）が存在（残存）している部分（図７Ａ参照）のことを、天然歯残存部５０Ａということとする。
また、歯槽堤５０のうち天然歯（残存歯６０）が存在（残存）していない部分（図８Ａ参照）のことを、天然歯非残存部５０Ｂということとする。
【００６０】
図７Ａ及び図８Ａに示すように、下顎の歯槽堤５０（天然歯残存部５０Ａ，天然歯非残存部５０Ｂとも）は、ほぼ逆Ｕ字状の表面を有する断面を有しており、その断面において、頂部５１，外側面５２ａ，内側面５２ｂを有している。
一般的に、下顎の歯槽堤５０の外側面５２ａ／内側面５２ｂは、ほぼ鉛直又は下方に向けて徐々に外側／内側に向かう。しかしながら、下顎の歯槽堤５０の長さ方向（図５Ａ参照）における一部には、その外側面５２ａ／内側面５２ｂのうちの下側の部分が下方に向かうにつれて徐々に内側／外側に向かうという断面もある。上顎の歯槽堤５０においても同様である。このように、歯槽堤５０のうちの一部には窪み部５４Ａ，５４Ｂ（図７Ａ，図８Ａ）が存在する。
図７Ａには、歯槽堤５０のうちの天然歯残存部５０Ａの外側面５２ａに窪み部５４Ａ，が存在する断面が示されており、図８Ａには、歯槽堤５０のうちの天然歯非残存部５０Ｂの外側面５２ａに窪み部５４Ｂが存在する断面が示されている。
逆にいうと、窪み部５４Ａ，５４Ｂより上方（頂部５１の側の部分）には、窪み部５４Ａ，５４Ｂよりも張り出した部分がある。その部分のことを歯槽堤張り出し部５６Ａ，５６Ｂということとする。
【００６１】
図５Ａ及び図８Ａに示すように、この有床義歯２１０は、義歯床２２０及び人工歯３０を有している。
義歯床２２０（その内側の形状）は、使用者の歯槽堤５０の形状にほぼ対応している。すなわち、図５Ａに示すように、全体としてほぼＵ字状をなすとともに、図８Ａに示すように、ほぼ逆Ｕ字状断面を有しており、その断面において、基部２１，外側延部２２ａ，内側延部２２ｂを有している。
【００６２】
図５Ａ及び図７Ａに示すように、義歯床２２０のうち、歯槽堤５０のうちの天然歯残存部５０Ａに対応する部分のことを、天然歯残存部対応部２２０Ａということとする。
また、図５Ａ及び図８Ａに示すように、義歯床２２０のうち、歯槽堤５０のうちの天然歯非残存部５０Ｂに対応する部分のことを、天然歯非残存部対応部２２０Ｂということとする。
【００６３】
図６に示すように、義歯床２２０は、殻体２２６，熱可塑性樹脂部２２５，シリコーン層２２７によって形成されている。
図５Ａ，図６，図７Ａに示すように、義歯床２２０のうち天然歯残存部対応部２２０Ａは、殻体２２６及びシリコーン層２２７のみによって形成されている。
図５Ａ，図６，図８Ａに示すように、義歯床２２０のうち天然歯非残存部対応部２２０Ｂは、殻体２２６、熱可塑性樹脂部２２５及びシリコーン層２２７によって形成されている。
すなわち、シリコーン層２２７は、殻体２２６及び熱可塑性樹脂部２２５によって形成されるもののうち、歯槽堤５０の側の面に配設されている。
【００６４】
殻体２２６（図５Ａ，図６）は、弾性を有する合成樹脂によって形成されている。すなわち、弾性的に変形可能である。例えば、ポリカーボネート等である。
殻体２２６は、歯槽堤５０の全長に沿って延びている。
図７Ａに示すように、殻体２２６は、義歯床２２０のうちの天然歯残存部対応部２２０Ａにおいては、その外側延部２２ａ及び内側延部２２ｂに存在している。
図８Ａに示すように、殻体２２６は、義歯床２２０のうちの天然歯非残存部対応部２２０Ｂにおいては、その基部２１のみに存在している。
【００６５】
熱可塑性樹脂部２２５（図５Ａ，図６）は、可塑化温度が７０℃〜８０℃のいずれかの温度である熱可塑性樹脂によって形成されている。すなわち、その温度未満では塑性変形不可能であり、その温度以上では塑性変形可能である。
【００６６】
図５Ａ及び図８Ａに示すように、義歯床２２０の基部２１は、歯槽堤５０の頂部５１に対応している。各人工歯３０は、基部２１に設けられている。
図５Ａ及び図７Ａに示すように、基部２１の一部には、切欠部２２３が形成されている。切欠部２２３は、残存歯６０（残存している天然歯）に対応して形成されている。
すなわち、図５Ａ及び図７Ａに示すように、義歯床２２０のうち、天然歯残存部対応部２２０Ａは、切欠部２２３を有し、外側延部２２ａ及び内側延部２２ｂを有している。
一方、図５Ａ及び図８Ａに示すように、義歯床２２０のうち、天然歯非残存部対応部２２０Ｂは、基部２１、外側延部２２ａ及び内側延部２２ｂを有している。
【００６７】
次に、図５Ａ及び図７Ａ等に基づいて、義歯床２２０のうち天然歯残存部対応部２２０Ａについて詳述する。
前述したように、義歯床２２０のうち天然歯残存部対応部２２０Ａは、殻体２２６及びシリコーン層２２７によって形成されている。
図６及び図７Ａに示すように、殻体２２６及びシリコーン層２２７とも切欠部２２８，２２９を有し、両切欠部２２８，２２９によって義歯床２２０の切欠部２２３（図５Ａ，図７Ａ）が形成されている。
図６及び図７Ａに示すように、殻体２２６及びシリコーン層２２７とも歯槽堤５０のうちの天然歯残存部５０Ａの外側面５２ａ及び内側面５２ｂ（図５Ａ，図７Ａ）に対応する部分を有し、各々、両者によって、義歯床２２０のうちの天然歯残存部対応部２２０Ａの外側延部２２ａ及び内側延部２２ｂ（図５Ａ，図７Ａ）が形成されている。
【００６８】
正確にいうと、図５Ａに示すように、この有床義歯２１０では、残存歯６０に対応して切欠部２２３が形成されており（このことは前述）、義歯床２２０における天然歯残存部対応部２２０Ａのうちの大半部分においては、外側延部２２ａは存在せず、内側延部２２ｂのみが存在している。
義歯床２２０における天然歯残存部対応部２２０Ａのうちの天然歯非残存部対応部２２０Ｂに隣接する部分においてのみ、外側延部２２ａ及び内側延部２２ｂが存在している。図７Ａ〜図７Ｄには、その部分の縦断面が示されている。
義歯床２２０における天然歯残存部対応部２２０Ａのうちの大半部分の縦断面は、図７Ａ〜図７Ｄに示されたものから外側延部２２ａが除去されたものとなる。
【００６９】
なお、この実施形態３の有床義歯２１０の変形例として、切欠部２２３を「開口部」と置き換えた態様も考えられる。
その態様の場合においては、義歯床２２０のうちの天然歯残存部対応部２２０Ａの全ての部分において、外側延部２２ａ及び内側延部２２ｂが存在することとなる。
この変形例の有床義歯の方が歯槽堤５０（天然歯残存部５０Ａ）に対してより強固に装着されるが、一方では、実施形態３の方が見映えが良いこととなり、一長一短である。
【００７０】
図７Ｄに示すように、義歯床２２０の切欠部２２３の端部は、残存歯６０の歯茎部６４に密着するように形成されている。すなわち、そのようになる形状及び寸法に形成されている。
【００７１】
図７Ａに示すように、義歯床２２０（天然歯残存部対応部２２０Ａ）の外側延部２２ａ及び内側延部２２ｂは、歯槽堤５０（天然歯残存部５０Ａ）の基端部（下端部）の近傍にまで及ぶ高さ（長さ）を有している。
前述したように、義歯床２２０（天然歯残存部対応部２２０Ａ）の外側延部２２ａは、歯槽堤５０（天然歯残存部５０Ａ）の外側面５２ａに対応している。また、義歯床２２０（天然歯残存部対応部２２０Ａ）の内側延部２２ｂは、歯槽堤５０（天然歯残存部５０Ａ）の内側面５２ｂに対応している。
そして、義歯床２２０（天然歯残存部対応部２２０Ａ）の外側延部２２ａ／内側延部２２ｂ（図７Ａにおいては外側延部２２ａ）のうち、歯槽堤５０（天然歯残存部５０Ａ）の窪み部５４Ａに対応する部分は、窪み部５４Ａに沿って内側／外側（図７Ａにおいては内側）に窪んでいる。その部分のことを凹み部２２４Ａということとする。
【００７２】
次に、図５Ａ及び図８Ａに基づいて、義歯床２２０のうち天然歯非残存部対応部２２０Ｂについて詳述する。
前述したように、義歯床２２０のうち天然歯非残存部対応部２２０Ｂは、熱可塑性樹脂部２２５、殻体２２６及びシリコーン層２２７によって形成されている。
殻体２２６は、義歯床２２０のうち天然歯非残存部対応部２２０Ｂにおいては、義歯床２２０（天然歯非残存部対応部２２０Ｂ）のうち基部２１にのみ存在している（このことも前述）。
殻体２２６は、義歯床２２０（天然歯非残存部対応部２２０Ｂ）の基部２１のうち、歯槽堤５０（天然歯非残存部５０Ｂ）（その頂部）の側の部分に位置しており、殻体２２６とシリコーン層２２７との間に熱可塑性樹脂部２２５は存在していない。
【００７３】
義歯床２２０のうち天然歯非残存部対応部２２０Ｂにおいても、外側延部２２ａ及び内側延部２２ｂは、歯槽堤５０（天然歯非残存部５０Ｂ）の基端部（下端部）の近傍にまで及ぶ高さ（長さ）を有している。
義歯床２２０（天然歯非残存部対応部２２０Ｂ）の外側延部２２ａは、全般的に、歯槽堤５０（天然歯非残存部５０Ｂ）の外側面５２ａに対応している。義歯床２２０（天然歯非残存部対応部２２０Ｂ）の内側延部２２ｂは、全般的に、歯槽堤５０（天然歯非残存部５０Ｂ）の内側面５２ｂに対応している。
しかしながら、実施形態１の場合と同様に、義歯床２２０（天然歯非残存部対応部２２０Ｂ）の外側延部２２ａ／内側延部２２ｂ（図８Ａにおいては外側延部２２ａ）のうち、歯槽堤５０（天然歯非残存部５０Ｂ）の窪み部５４Ｂに対応する部分は、窪み部５４Ｂに沿って内側／外側（図８Ａにおいては内側）に窪むことなく、ほぼ鉛直となっている。
【００７４】
次に、この有床義歯２１０の使用方法及び作用効果について説明する。
この有床義歯２１０を装着しようとする際は、次のようにされる。
まず、使用者は、この有床義歯２１０（図５Ａ）を熱湯等に浸し、有床義歯２１０（義歯床２２０）を可塑化温度（７０〜８０℃）以上とし、義歯床２２０のうち熱可塑性樹脂部２２５（外側延部２２ａ，内側延部２２ｂ）（図８Ａ）が塑性変形可能な状態とさせる。
【００７５】
次に、図５Ａ→図５Ｂに示すように、使用者は、この有床義歯２１０を把持して自分の口腔内の歯槽堤５０に対して接近させ嵌合しようとさせる。その際、残存歯６０は、切欠部２２３を通して露出するようにする。
【００７６】
その際、図７Ａ→図７Ｂ→図７Ｃ→図７Ｄに示すように、有床義歯２１０のうち天然歯残存部５０Ａに対応する部分では、次のようになる。
図７Ａにおいて２点鎖線で示すように、義歯床２２０のうちの天然歯残存部対応部２２０Ａ（殻体２２６及びシリコーン層２２７）の外側延部２２ａ及び内側延部２２ｂが、残存歯６０に当接する。
図７Ａ→図７Ｂに示すように、さらに、この有床義歯２１０を下方に（歯槽堤５０に対して嵌合する方向）に移動させることによって、義歯床２２０のうちの天然歯残存部対応部２２０Ａ（殻体２２６及びシリコーン層２２７）の外側延部２２ａ及び内側延部２２ｂの下端部の側の部分が弾性的に拡がる。
【００７７】
図７Ｂ→図７Ｃに示すように、さらに、この有床義歯２１０を下方に（歯槽堤５０に対して嵌合する方向に）移動させることによって、義歯床２２０のうちの天然歯残存部対応部２２０Ａ（殻体２２６及びシリコーン層２２７）の外側延部２２ａ及び内側延部２２ｂの下端部の側の部分が弾性的に元の形状に戻りつつ、同じく義歯床２２０のうちの天然歯残存部対応部２２０Ａの上端部（切欠部２２３）の側の部分が弾性的に拡がって、残存歯６０の残存歯張り出し部６６に当接する。
【００７８】
図７Ｃ→図７Ｄに示すように、さらに、この有床義歯２１０を下方に（歯槽堤５０に対して嵌合する方向）に移動させることによって、義歯床２２０のうちの天然歯残存部対応部２２０Ａの外側延部２２ａ及び内側延部２２ｂの下端部の側の部分が弾性的に拡がりつつ歯槽堤張り出し部５６Ａを越えて、義歯床２２０（天然歯残存部対応部２２０Ａ）が歯槽堤５０（天然歯残存部５０Ａ）に嵌合する。
【００７９】
その嵌合が完了した状態では、図７Ｄに示すように、義歯床２２０のうちの天然歯残存部対応部２２０Ａ（殻体２２６及びシリコーン層２２７）が弾性的に元の形状に戻っており、その切欠部２２３の端部が残存歯６０の歯茎部６４に密着している。
【００８０】
また、同じく図７Ｄに示すように、義歯床２２０のうちの天然歯残存部対応部２２０Ａ（殻体２２６及びシリコーン層２２７）の外側延部２２ａ／内側延部２２ｂは、歯槽堤５０のうちの天然歯残存部５０Ａの外側面５２ａ／内側面５２ｂに密着している。そして、義歯床２２０のうちの天然歯残存部対応部２２０Ａの外側延部２２ａ／内側延部２２ｂのうち、凹み部２２４Ａも、歯槽堤５０のうちの天然歯残存部５０Ａの窪み部５４Ａに密着している。
【００８１】
図８Ａ→図８Ｂ→図８Ｃに示すように、有床義歯２１０のうち天然歯非残存部５０Ｂに対応する部分では、実施形態１の場合と同様に、次のようになる。
使用者は、上述の作業とともに、義歯床２２０のうちの天然歯非残存部対応部２２０Ｂも、歯槽堤５０のうちの天然歯非残存部５０Ｂに対して嵌合させる。
それによって、図８Ｂに示すように、義歯床２２０のうちの天然歯非残存部対応部２２０Ｂは、歯槽堤５０のうちの天然歯非残存部５０Ｂに対して、ほぼ隙間ない状態で取り付けられる。
しかしながら、歯槽堤５０のうちの天然歯非残存部５０Ｂ（外側面５２ａ，内側面５２ｂ）の窪み部５４Ｂと、義歯床２２０のうちの天然歯非残存部対応部２２０Ｂ（外側延部２２ａ，内側延部２２ｂ）との間には、隙間が存在している。図８Ｂでは、歯槽堤５０（天然歯非残存部５０Ｂ）の外側面５２ａに窪み部５４Ｂが存在し（このことは前述）、その窪み部５４Ｂと義歯床２２０（天然歯非残存部対応部２２０Ｂ）の外側延部２２ａとの間に隙間が存在する断面が示されている。
【００８２】
次に、図８Ｂ→図８Ｃに示すように、使用者は、義歯床２２０のうちの天然歯非残存部対応部２２０Ｂ（外側延部２２ａ，内側延部２２ｂ）のうち歯槽堤５０（天然歯非残存部５０Ｂ）の各窪み部５４Ｂに対応する部分を、窪み部５４Ｂに向けて押圧する。
これによって、図８Ｃに示すように、義歯床２２０のうちの天然歯非残存部対応部２２０Ｂ（外側延部２２ａ，内側延部２２ｂ）のうち歯槽堤５０（天然歯非残存部５０Ｂ）の各窪み部５４Ｂに対応する部分が窪み部５４Ｂに沿うように塑性変形し（その部分のことを凹み部２２４Ｂということとする）、当該部分を含む義歯床２２０のすべての部分が歯槽堤５０のうちの天然歯非残存部５０Ｂ（頂部５１，外側面５２ａ，内側面５２ｂ）と密着する。
【００８３】
その後、時間の経過とともに、徐々に有床義歯２１０（義歯床２２０）が冷却していき、口腔内の温度（体温）と同一（可塑化温度未満）となる。
それによって、義歯床２２０のうちの天然歯非残存部対応部２２０Ｂは塑性変形が不可能な状態となる。すなわち、上述のように、義歯床２２０のうちの天然歯非残存部対応部２２０Ｂ（基部２１，外側延部２２ａ，内側延部２２ｂ）の形状は、歯槽堤５０のうちの天然歯非残存部５０Ｂ（頂部５１，外側面５２ａ，内側面５２ｂ）と密着する形状で固定される。
【００８４】
以上の状態において、図７Ｄに示すように、義歯床２２０のうちの天然歯残存部対応部２２０Ａでは、義歯床２２０のうちの天然歯残存部対応部２２０Ａの切欠部２２３の端部が残存歯６０の歯茎部６４に密着している（このことは前述）。
このため、仮に有床義歯２１０に対して歯槽堤５０から抜け出る方向に力が加わった場合においても、義歯床２２０のうちの天然歯残存部対応部２２０Ａ（切欠部２２３の端部）と残存歯６０の残存歯張り出し部６６とが干渉し、有床義歯２１０が歯槽堤５０から抜け出ることが阻止される。
【００８５】
また、同じく図７Ｄに示すように、義歯床２２０のうちの天然歯残存部対応部２２０Ａの外側延部２２ａ／内側延部２２ｂが、歯槽堤５０のうちの天然歯残存部５０Ａの外側面５２ａ，内側面５２ｂに密着している。そして、義歯床２２０のうちの天然歯残存部対応部２２０Ａの外側延部２２ａ／内側延部２２ｂの凹み部２２４Ａが、歯槽堤５０のうちの天然歯残存部５０Ａの窪み部５４Ａに密着している（これらのことは前述）。
このため、この点でも、仮に有床義歯２１０に対して歯槽堤５０から抜け出る方向に力が加わった場合においても、凹み部２２４Ａと歯槽堤張り出し部５６Ａ（正確にいえば、そのうち弾性的に十分窪むことが不可能な部分）とが干渉し、有床義歯２１０が歯槽堤５０から抜け出ることが阻止される。
【００８６】
また、図８Ｃに示すように、義歯床２２０のうちの天然歯非残存部対応部２２０Ｂでは、実施形態１の場合と同様に、義歯床２２０のうちの天然歯非残存部対応部２２０Ｂの外側延部２２ａ，内側延部２２ｂの形状は、歯槽堤５０のうちの天然歯非残存部５０Ｂの外側面５２ａ，内側面５２ｂに密着した状態で固定されている。そして、義歯床２２０のうちの天然歯非残存部対応部２２０Ｂ（外側延部２２ａ，内側延部２２ｂ）の凹み部２２４Ｂが、歯槽堤５０のうちの天然歯非残存部５０Ｂの窪み部５４Ｂに密着している（これらのことは前述）。
このため、この点でも、仮に、有床義歯２１０に対して歯槽堤５０から抜け出る方向に力が加わった場合においても、凹み部２２４Ｂと歯槽堤張り出し部５６Ｂ（正確にいえば、そのうち弾性的に十分窪むことが不可能な部分）とが干渉し、有床義歯２１０が歯槽堤５０から抜け出ることが阻止される。
以上のようにして、使用者は、この有床義歯２１０を歯槽堤５０に対して容易に安定的に装着することができるのである。
【００８７】
一方、この有床義歯２１０を取り外そうとする際は、次のようにされる。
使用者は、所定の時間以上、高温（可塑化温度より十分に高温）の湯を口腔内に含む。これによって、有床義歯２１０（義歯床２２０）が加熱されて高温（可塑化温度以上）となり、義歯床２２０のうちの天然歯非残存部対応部２２０Ｂ（外側延部２２ａ，内側延部２２ｂ）（図８Ｃ）が塑性変形可能な状態となる。
【００８８】
その状態で、この有床義歯２１０を把持して、歯槽堤５０から離隔する方向（上方）に所定以上の力を加える。
これによって、義歯床２２０のうちの天然歯非残存部対応部２２０Ｂでは、実施形態１の場合と同様に、義歯床２２０の凹み部２２４Ｂが、歯槽堤張り出し部５６Ｂと干渉しないように、外側（外側延部２２ａの場合）／内側（内側延部２２ｂの場合）に塑性変形する。図８Ｃにおいては、外側延部２２ａの凹み部２２４Ｂが、外側に塑性変形する。
こうして、天然歯非残存部５０Ｂにおいて、有床義歯２１０が歯槽堤５０から抜け出ることが許容される状態となる。
【００８９】
また、義歯床２２０のうちの天然歯残存部対応部２２０Ａでは、図７Ｄ→図７Ｃに示すように、この有床義歯２１０に対して上方に（歯槽堤５０から抜け出る方向に）に所定以上の力を加えることによって、義歯床２２０のうちの天然歯残存部対応部２２０Ａの上端部（切欠部２２３）の側の部分が残存歯張り出し部６６に対応するように弾性変形しつつ、義歯床２２０の凹み部２２４Ａが歯槽堤張り出し部５６Ａに対応するように弾性変形しつつ、有床義歯２１０は上方に移動する。
【００９０】
引き続き、有床義歯２１０に同方向に力を加えることによって、図７Ｃ→図７Ｂに示すように、義歯床２２０のうちの天然歯残存部対応部２２０Ａの下端部の側の部分が残存歯張り出し部６６に対応するように弾性変形しつつ、義歯床２２０のうちの天然歯残存部対応部２２０Ａの上端部（切欠部２２３）の側の部分が弾性的に元の形状に戻りつつ、有床義歯２１０はさらに上方に移動する。
そして、図７Ｂ→図７Ａに示すように、義歯床２２０のうちの天然歯残存部対応部２２０Ａが弾性的に元の形状に戻りつつ、歯槽堤５０から抜け出る。
以上のようにして、使用者は、この有床義歯２１０を歯槽堤５０から容易に取り外すこともできる。
【００９１】
以上のように、この有床義歯２１０では、容易に歯槽堤５０に対して安定的に装着することができるとともに、容易に歯槽堤５０から取り外すことができる。また、クラスプを伴わないために、装着した際に、残存歯６０に負担をかけることもないとともに、審美性にも優れる。
また、使用者の歯槽堤５０の形状が年月の経過とともに徐々に変化していった場合においても、この有床義歯２１０では、形状が変化した後の歯槽堤５０に対して密着するように義歯床２２０（そのうちの天然歯非残存部対応部２２０Ｂの熱可塑性樹脂部２２５）を塑性変形させることが可能であり、そのようにして取り付けることによって、長期間にわたって使用することが可能である。
【００９２】
なお、上記のものはあくまで本発明の数例の実施形態にすぎず、当業者の知識に基づいて種々の変更を加えた態様で本発明を実施できることはもちろんである。
【００９３】
例えば、上記の実施形態は、歯槽堤の長さ方向におけるすべての部分に対応する形状（長さ）を有する局部床義歯であるが、歯槽堤の長さ方向における一部に対応する形状（長さ）であってもよい。
また、本発明（請求項２及びその従属項に係る発明を除く）は、局部床義歯に限らず、全部床義歯にも適用され得る。
また、本発明は、下顎の歯槽堤に対応するものに限らず、上顎の歯槽堤に対応するものにも適用され得る。
【図面の簡単な説明】
【００９４】
【図１Ａ】本発明の実施形態１の有床義歯及び歯槽堤を示す斜視図である。
【図１Ｂ】本発明の実施形態１の有床義歯を示す斜視図である。歯槽堤に取り付けられた状態を示す。
【図２Ａ】本発明の実施形態１の有床義歯及び歯槽堤を示す拡大縦断面図である。歯槽堤においては、その内部の骨等の図示は省略されている。このことは、図２Ｂ，図２Ｃ，図４，図７Ａ〜図７Ｄ，図８Ａ〜図８Ｃにおいても同様である。
【図２Ｂ】本発明の実施形態１の有床義歯を歯槽堤に対して取り付ける途中の段階を示す拡大縦断面図である。
【図２Ｃ】本発明の実施形態１の有床義歯を示す拡大縦斜視図である。歯槽堤に取り付けられた状態を示す。
【図３】本発明の実施形態１の有床義歯の一の製造段階を示す拡大断面図である。
【図４】本発明の実施形態２の有床義歯を示す拡大縦断面図である。
【図５Ａ】本発明の実施形態３の有床義歯及び歯槽堤を示す斜視図である。
【図５Ｂ】本発明の実施形態３の有床義歯を示す斜視図である。歯槽堤に取り付けられた状態を示す。
【図６】本発明の実施形態３の有床義歯を示す分解斜視図である。
【図７Ａ】本発明の実施形態３の有床義歯及び歯槽堤を示す拡大縦断面図である。歯槽堤のうち天然歯残存部を示すとともに、有床義歯のうち、歯槽堤のうちの天然歯残存部に対応する部分を示す。このことは、図７Ｂ〜図７Ｄにおいても同様である。
【図７Ｂ】本発明の実施形態３の有床義歯を歯槽堤に対して取り付ける途中の段階を示す拡大縦断面図である。
【図７Ｃ】本発明の実施形態３の有床義歯を歯槽堤に対して取り付ける途中の段階（図７Ｂの次の段階）を示す拡大縦断面図である。
【図７Ｄ】本発明の実施形態３の有床義歯を示す拡大縦斜視図である。歯槽堤に取り付けられた状態を示す。
【図８Ａ】本発明の実施形態３の有床義歯及び歯槽堤を示す拡大縦断面図である。歯槽堤のうち天然歯非残存部を示すとともに、有床義歯のうち、歯槽堤のうちの天然歯非残存部に対応する部分を示す。このことは、図８Ｂ及び図８Ｃにおいても同様である。
【図８Ｂ】本発明の実施形態３の有床義歯を歯槽堤に対して取り付ける途中の段階を示す拡大縦断面図である。
【図８Ｃ】本発明の実施形態３の有床義歯を示す拡大縦斜視図である。歯槽堤に取り付けられた状態を示す。
【符号の説明】
【００９５】
１０，１１０，２１０  有床義歯
１５  光重合レジン
２０，１２０，２２０  義歯床
２２０Ａ  天然歯残存部対応部    ２２０Ｂ  天然歯非残存部対応部
２２ａ  外側延部
２２ｂ  内側延部
２４，２２４Ａ，２２４Ｂ  凹み部
２５  義歯床本体（熱可塑性樹脂）    ２２５  熱可塑性樹脂部（熱可塑性樹脂）
２２６  殻体（弾性を有する合成樹脂）
２７，２２７  シリコーン層
３０  人工歯
５０  歯槽堤
５０Ａ  天然歯残存部    ５０Ｂ  天然歯非残存部
５２ａ  外側面
５２ｂ  内側面
５４，５４Ａ，５４Ｂ  窪み部
５６，５６Ａ，５６Ｂ  歯槽堤張り出し部（張り出し部）
６０  残存歯（天然歯）
６４  歯茎部
６６  残存歯張り出し部（天然歯張り出し部）（張り出し部）
【図１Ａ】
2008168065.tif 000003
【図１Ｂ】
2008168065.tif 000004
【図２Ａ】
2008168065.tif 000005
【図２Ｂ】
2008168065.tif 000006
【図２Ｃ】
2008168065.tif 000007
【図３】
2008168065.tif 000008
【図４】
2008168065.tif 000009
【図５Ａ】
2008168065.tif 000010
【図５Ｂ】
2008168065.tif 000011
【図６】
2008168065.tif 000012
【図７Ａ】
2008168065.tif 000013
【図７Ｂ】
2008168065.tif 000014
【図７Ｃ】
2008168065.tif 000015
【図７Ｄ】
2008168065.tif 000016
【図８Ａ】
2008168065.tif 000017
【図８Ｂ】
2008168065.tif 000018
【図８Ｃ】
2008168065.tif 000019